(57)【要約】【課題】ストロボの光源として複数のＬＥＤを用いながら、それを構成する個々のＬＥＤに負担をかけず、且つ高い自由度で発光状態を制御する。【解決手段】撮像タイミングに同期して、撮像対象に向けて設けられた複数個のＬＥＤを露光時間に対応した発光強度、点灯間隔及び点灯回数で循環的に点灯駆動する。【選択図】      図４
2006201766.tif 000002
【特許請求の範囲】
【請求項１】
撮像対象に向けて設けられた複数個のＬＥＤと、
撮像タイミングに同期して上記複数個のＬＥＤを露光時間内に順次点灯駆動する駆動制御手段と
を具備したことを特徴とする撮像装置。
【請求項２】
上記複数個のＬＥＤは所定の点灯間隔で循環的に点灯することを特徴とする請求項１記載の撮像装置。
【請求項３】
上記複数個のＬＥＤは少なくとも赤色で点灯するもの、緑色で点灯するもの、及び青色で点灯するものの３個を含むことを特徴とする請求項１記載の撮像装置。
【請求項４】
上記駆動制御手段は、上記複数個のＬＥＤの個々の点灯時間を加減して色温度調整を行なうことを特徴とする請求項３記載の撮像装置。
【請求項５】
撮像エリアをライン単位で順次走査しながら露光を行なう撮像素子を用いた撮像装置であって、
上記駆動制御手段は、撮像素子の第１ラインの露光時間と最終ラインの露光時間との重複期間中に上記複数個のＬＥＤを点灯駆動する
ことを特徴とする請求項１記載の撮像装置。
【請求項６】
撮像タイミングに同期して複数個のＬＥＤを露光時間内に順次点灯駆動することを特徴とする撮像装置のストロボ制御方法。
【発明の詳細な説明】
【技術分野】
【０００１】
本発明は、ストロボ撮影の発光素子としてＬＥＤを用いた撮像装置及びこの装置で適用されるストロボ制御方法に関する。
【背景技術】
【０００２】
現在、広く一般に普及しているデジタルカメラのストロボ装置としては、大容量のコンデンサに蓄積した電荷をキセノン管等の放電管で瞬間的に放電させることにより閃光を得るようにしているものが多く、またごく一部のモノクロ撮影専用の機種にあっては、複数の赤色ＬＥＤを同時に発光させる構造を有しているものもある。
【発明の開示】
【発明が解決しようとする課題】
【０００３】
しかしながら、大容量のコンデンサと放電管を用いたストロボ装置は、該コンデンサが大型となるためにその配置位置が制限される、電力の消費が大きく電源となる電池の消耗が激しい、製造コストが高くなってしまう、等々の多くの不具合を有している。
【０００４】
一方、上記赤色ＬＥＤを用いたものは、１つのＬＥＤで得られる光量が限られているため、所定の光量を得るために多数個を配置する必要が生じるが、そのためにやはり製造コストの上昇を招くと共に、携帯使用が前提で小型化が要求されるデジタルカメラでは、大きなサイズとなるストロボ装置を配置すべき位置を見出だすのが困難であった。
【０００５】
また、少ない数のＬＥＤで所定の光量を得るためにＬＥＤの駆動電流を高くすることも考えられるが、ＬＥＤに大電流を長時間に渡って流すと寿命が極端に短くなってしまい、好ましくない。
【０００６】
本発明は上記のような実情に鑑みてなされたもので、その目的とするところは、ストロボの光源として複数のＬＥＤを用いながら、それを構成する個々のＬＥＤに負担をかけず、且つ高い自由度で発光状態を制御することが可能な撮像装置及びこの装置で適用されるストロボ制御方法を提供することにある。
【課題を解決するための手段】
【０００７】
請求項１記載の発明は、撮像対象に向けて設けられた複数個のＬＥＤと、撮像タイミングに同期して上記複数個のＬＥＤを露光時間内に順次点灯駆動する駆動制御手段とを具備したことを特徴とする。
【０００８】
上記のような構成とすれば、ストロボの光源を構成する個々のＬＥＤでの１回の点灯時間をごく短いものとしながら、発光強度、点灯間隔及び点灯回数を可変して露光時間中に複数のＬＥＤで循環的に点灯させるようにしたため、ＬＥＤに負担をかけずに所望の点灯状態を得ることができる。
【０００９】
請求項２記載の発明は、上記請求項１記載の発明において、上記複数個のＬＥＤは所定の点灯間隔で循環的に点灯することを特徴とする。
【００１０】
このような構成とすれば、上記請求項１記載の発明の作用に加えて、ＬＥＤの構成個数に応じた、より明るいストロボとすることができる。
【００１１】
請求項３記載の発明は、上記請求項１記載の発明において、上記複数個のＬＥＤは少なくとも赤色で点灯するもの、緑色で点灯するもの、及び青色で点灯するものの３個を含むことを特徴とする。
【００１２】
このような構成とすれば、上記請求項１記載の発明の作用に加えて、ＬＥＤによる白色ストロボ光源を実現することができる。
【００１３】
請求項４記載の発明は、上記請求項３記載の発明において、上記駆動制御手段は、上記複数個のＬＥＤの個々の点灯時間を加減して色温度調整を行なうことを特徴とする。
【００１４】
このような構成とすれば、上記請求項３記載の発明の作用に加えて、ストロボの点灯状態によっても色温度調整を行なうことができるため、撮像の段階でホワイトバランス調整を行ない、撮像後の画像信号処理を簡略化することができる。
【００１５】
請求項５記載の発明は、上記請求項１記載の発明において、撮像エリアをライン単位で順次走査しながら露光を行なう撮像素子を用いた撮像装置であって、上記駆動制御手段は、撮像素子の第１ラインの露光時間と最終ラインの露光時間との重複期間中に上記複数個のＬＥＤを点灯駆動することを特徴とする。
【００１６】
このような構成とすれば、上記請求項１記載の発明の作用に加えて、撮像素子の全画素に対して均一の光量を与えることができ、得られる画像の画質の低下を防ぐことができる。
【００１７】
請求項６記載の発明は、撮像タイミングに同期して複数個のＬＥＤを露光時間内に順次点灯駆動することを特徴とする。
【００１８】
このような方法とすれば、ストロボの光源を構成する個々のＬＥＤでの１回の点灯時間をごく短いものとしながら、発光強度、点灯間隔及び点灯回数を可変して露光時間中に複数のＬＥＤで循環的に点灯させるようにしたため、ＬＥＤに負担をかけずに所望の点灯状態を得させることができる。
【発明の効果】
【００１９】
請求項１記載の発明によれば、ストロボの光源を構成する個々のＬＥＤでの１回の点灯時間をごく短いものとしながら、発光強度、点灯間隔及び点灯回数を可変して露光時間中に複数のＬＥＤで循環的に点灯させるようにしたため、ＬＥＤに負担をかけずに所望の点灯状態を得ることができる。
【００２０】
請求項２記載の発明によれば、上記請求項１記載の発明の効果に加えて、ＬＥＤの構成個数に応じた、より明るいストロボとすることができる。
【００２１】
請求項３記載の発明によれば、上記請求項１記載の発明の効果に加えて、ＬＥＤによる白色ストロボ光源を実現することができる。
【００２２】
請求項４記載の発明によれば、上記請求項３記載の発明の効果に加えて、ストロボの点灯状態によっても色温度調整を行なうことができるため、撮像の段階でホワイトバランス調整を行ない、撮像後の画像信号処理を簡略化することができる。
【００２３】
請求項５記載の発明によれば、上記請求項１記載の発明の効果に加えて、撮像素子の全画素に対して均一の光量を与えることができ、得られる画像の画質の低下を防ぐことができる。
【００２４】
請求項６記載の発明によれば、ストロボの光源を構成する個々のＬＥＤでの１回の点灯時間をごく短いものとしながら、発光強度、点灯間隔及び点灯回数を可変して露光時間中に複数のＬＥＤで循環的に点灯させるようにしたため、ＬＥＤに負担をかけずに所望の点灯状態を得させることができる。
【発明を実施するための最良の形態】
【００２５】
以下本発明をモノクロのデジタルカメラに適応した場合の実施の一形態について図面を参照して説明する。
【００２６】
図１はその回路構成を示すもので、１０がデジタルカメラである。このデジタルカメラ１０は、記録モードと再生モードとを設定可能であり、記録モードの状態においては、被写体像がレンズ１１の後方に配置された撮像素子としてのＣＭＯＳエリアセンサ１２上に結像される。
【００２７】
このＣＭＯＳエリアセンサ１２は、光電変換により得たアナログ値の画像信号を一定周期毎に１画面単位で出力するもので、その画像信号はＡ／Ｄ変換器（Ａ／Ｄ）１３でデジタルデータに変換され、画像処理回路１４で規定の画像処理が施されて輝度信号よりなる画像信号がＤＭＡ（Ｄｉｒｅｃｔ Ｍｅｍｏｒｙ Ａｃｃｅｓｓ）コントローラ１５に出力される。
【００２８】
ＤＭＡコントローラ１５は、画像処理回路１４の出力する画像信号を、同じく画像処理回路１４で得られる同期信号、メモリ書込みイネーブル、クロック出力を用いて一度ＤＭＡコントローラ１５内部のバッファに書込み、ＤＲＡＭインタフェース（Ｉ／Ｆ）１６を介してＤＲＡＭ１７にＤＭＡ転送を行なう。
【００２９】
制御部１８は、ＣＰＵとその各種動作プログラム等を固定記憶したＲＯＭ、制御データ等を一時記憶するＲＡＭなどから構成されるもので、上記画像信号のＤＲＡＭ１７へのＤＭＡ転送終了後に、この画像信号をＤＲＡＭインタフェース１６を介してＤＲＡＭ１７より読出し、ＶＲＡＭコントローラ１９を介してＶＲＡＭ２０に書込む。
【００３０】
デジタルビデオエンコーダ（以下「ビデオエンコーダ」と略称する）２１は、上記画像信号をＶＲＡＭコントローラ１９を介してＶＲＡＭ２０より定期的に読出し、これらのデータを元にビデオ信号を発生して表示部２２に出力する。
【００３１】
この表示部２２は、例えばバックライト付の液晶表示パネルとその駆動回路とで構成され、カメラの背面側に配設されて、記録モード時にはＥＶＦ（Ｅｌｅｃｔｒｏｎｉｃ Ｖｉｅｗ Ｆｉｎｄｅｒ：電子ビューファインダ）として機能するもので、ビデオエンコーダ２１からのビデオ信号に基づいた表示を行なうことで、その時点でＶＲＡＭコントローラ１９から取込んでいる画像信号に基づく画像を表示することとなる。
【００３２】
そして、このように表示部２２にその時点での画像がリアルタイムに表示されている状態で、記録保存を行ないたいタイミングでキー入力部２３を構成するシャッタキーを操作すると、トリガ信号を発生する。
【００３３】
制御部１８は、このトリガ信号に応じてその時点でＣＭＯＳエリアセンサ１２から取込んでいる１画面分の画像信号のＤＲＡＭ１７へのＤＭＡ転送の終了後、もう１画面分の画像信号を同様にＤＲＡＭ１７へＤＭＡ転送させ、それからＣＭＯＳエリアセンサ１２からのＤＲＡＭ１７への経路を停止し、記録保存の状態に遷移する。
【００３４】
この記録保存の状態では、制御部１８がＤＲＡＭ２１に書込まれている最後の１フレーム分の画像信号をＤＲＡＭインタフェース１６を介して縦８画素×横８画素の基本ブロックと呼称される単位で読出してＪＰＥＧ回路２４に書込み、このＪＰＥＧ回路２４でＡＤＣＴ（Ａｄａｐｔｉｖｅ Ｄｉｓｃｒｅｔｅ Ｃｏｓｉｎｅ Ｔｒａｎｓｆｏｒｍ：適応離散コサイン変換）、エントロピ符号化方式であるハフマン符号化等の処理を施して圧縮し、圧縮した符号データを該ＪＰＥＧ回路２４から読出して、このデジタルカメラ１０の記録媒体となる、不揮発性メモリであるフラッシュメモリ２５に書込む。
【００３５】
そして、１フレーム分の画像信号の圧縮処理及びフラッシュメモリ２５への全圧縮データの書込み終了に伴なって、制御部１８は再度ＣＭＯＳエリアセンサ１２からＤＲＡＭ１７への経路を起動する。
【００３６】
なお、制御部１８は、上記トリガ信号に対し、最後の１画面分の画像信号をＣＭＯＳエリアセンサ１２より得るのに同期してＬＥＤ駆動制御回路２６に垂直同期信号ＶＤ及び基準クロックを含む各種制御信号を出力し、ＬＥＤ駆動制御回路２６に接続されている複数、例えば３個の赤色ＬＥＤ２７ａ〜２７ｃをその時点のＣＭＯＳエリアセンサ１２での露光時間に対応した発光強度、点灯間隔及び点灯回数で循環的に点灯駆動させる。
【００３７】
また、上記キー入力部２３は、上述したシャッタキーの他に、記録（ＲＥＣ）モードと再生（ＰＬＡＹ）モードとを切換える録／再モード切換えキー、再生モード時の画像選択等を行なうためのカーソルキーやエンターキー等から構成され、キー操作に伴なう信号は直接制御部１８へ送出される。
【００３８】
シャッタキーは、２段階の押圧操作を行なうものとし、一般の撮影においては１段階目の半押し状態で、ＡＦ（オートフォーカス）及びＡＥ（自動露光）の各実行値をロックして撮影に備え、２段階目の全押し状態で、上述したトリガ信号を出力しての撮影動作に随時移行するものである。
【００３９】
また、再生モードでは、制御部１８はＣＭＯＳエリアセンサ１２からＤＲＡＭ１７への経路を停止し、キー入力部２３でのキー操作に応じて制御部１８がフラッシュメモリ２５から特定の１フレーム分の符号データを読出してＪＰＥＧ回路２４に書込み、ＪＰＥＧ回路２４で伸長処理を行なって得られた縦８画素×横８画素の基本ブロック単位に、ＶＲＡＭコントローラ１９を介してＶＲＡＭ２０へ１フレーム分のＹＵＶデータを展開記憶させる。
【００４０】
すると、ビデオエンコーダ２１は、ＶＲＡＭ２０に展開記憶されている１フレーム分の画像データを元にビデオ信号を発生し、表示部２２で表示させる。
【００４１】
次に図２及び図３を用いて上記ＬＥＤ駆動制御回路２６内の詳細な回路構成について説明する。
【００４２】
図２は、上記制御部１８から与えられる各種制御信号に基づいて各種タイミング信号を生成する回路の構成を示す。同図で、上記垂直同期信号ＶＤ及び基準クロックはカウンタ３１に入力される。
【００４３】
このカウンタ３１は、垂直同期信号ＶＤに基づいて基準クロックをカウントすることで、垂直同期信号ＶＤから何Ｈ（１Ｈ：ＣＭＯＳエリアセンサ１２のスキャン駆動で１水平ラインに要する時間）が経過したかを表わす２０ビットのカウンタ出力をコンパレータ３２，３３、セレクタ３４〜３６に送出する。
【００４４】
コンパレータ３２は、カウンタ３１の出力を制御部１８に与えられる設定比較値と一致比較し、一致したと判断した時点でストロボ発光開始トリガ信号ＬＥＤＳＴＲを出力する。
【００４５】
コンパレータ３３は、カウンタ３１の出力を制御部１８に与えられる設定比較値と一致比較し、一致したと判断した時点でストロボ発光終了トリガ信号ＬＥＤＳＴＯＰを出力する。
【００４６】
セレクタ３４〜３６は、それぞれカウンタ３１の出力に基づいて上記赤色ＬＥＤ２７ａ〜２７ｃを順次選択的に駆動するための選択クロックＳＥＬＣＬＫ１〜３を生成するもので、その生成タイミングはＳＥＬＣＬＫ１、ＳＥＬＣＬＫ２、ＳＥＬＣＬＫ３の順となる。
【００４７】
図３は、同じくＬＥＤ駆動制御回路２６に設けられる、上記ストロボ発光開始トリガ信号ＬＥＤＳＴＲ、ストロボ発光終了トリガ信号ＬＥＤＳＴＯＰ、及び選択クロックＳＥＬＣＬＫ１〜３と、制御部１８により与えられるリセット信号ＲＥＳＥＴとにより上記赤色ＬＥＤ２７ａ〜２７ｃの駆動制御信号を生成する回路と、その駆動制御信号に基づいて実際に赤色ＬＥＤ２７ａ〜２７ｃを駆動する回路との構成を示すものである。
【００４８】
同図に示すように、上記ストロボ発光開始トリガ信号ＬＥＤＳＴＲとストロボ発光終了トリガ信号ＬＥＤＳＴＯＰとがオア回路４１を介してフリップフロップ（以下「Ｆ／Ｆ」と略称する）４２のクロック端子ＣＫに与えられ、またリセット信号ＲＥＳＥＴがこのＦ／Ｆ４２のリセット端子Ｒに与えられる。そして、このＦ／Ｆ４２の正転出力端子Ｑからの信号がＦ／Ｆ４３，４４，４６，４７それぞれのリセット端子Ｒに与えられる。
【００４９】
Ｆ／Ｆ４３では、選択クロックＳＥＬＣＬＫ１が遅延入力端子Ｄに、選択クロックＳＥＬＣＬＫ２がクロック端子ＣＫに与えられるもので、その正転出力端子Ｑからの信号はＦ／Ｆ４４の遅延入力端子ＤとＥＸ−オア回路４５とに出力される。
【００５０】
また、Ｆ／Ｆ４４の正転出力端子Ｑからの信号もＥＸ−オア回路４５に出力される。そして、ＥＸ−オア回路４５の出力が赤色ＬＥＤ２７ａを駆動制御するための信号ＬＥＤ１として駆動回路５１のＮＰＮタイプのトランジスタＴｒ１のベースに与えられると共に、Ｆ／Ｆ４６の遅延入力端子Ｄにも与えられる。
【００５１】
Ｆ／Ｆ４６は、上記選択クロックＳＥＬＣＬＫ３がクロック端子ＣＫに与えられ、その正転出力端子Ｑからの信号が赤色ＬＥＤ２７ｂを駆動制御するための信号ＬＥＤ２として駆動回路５１のＮＰＮタイプのトランジスタＴｒ２のベースに与えられると共に、Ｆ／Ｆ４７の遅延入力端子Ｄにも与えられる。
【００５２】
Ｆ／Ｆ４７も同様に、上記選択クロックＳＥＬＣＬＫ３がクロック端子ＣＫに与えられ、その正転出力端子Ｑからの信号が赤色ＬＥＤ２７ｃを駆動制御するための信号ＬＥＤ３として駆動回路５１のＮＰＮタイプのトランジスタＴｒ３のベースに与えられる。
【００５３】
赤色ＬＥＤ２７ａ〜２７ｃはそれぞれ、そのアノードに抵抗Ｒ１〜Ｒ３を介して電源電圧＋９［Ｖ］が印加され、カソードが上記トランジスタＴｒ１〜Ｔｒ３のコレクタに接続されるもので、各トランジスタＴｒ１〜Ｔｒ３のエミッタは接地される。
【００５４】
次に上記実施の形態の動作について説明する。
【００５５】
図４は上記赤色ＬＥＤ２７ａ〜２７ｃの点灯駆動タイミングを説明するためのもので、図中のＶＲＲはＣＭＯＳエリアセンサ１２の各画素分の信号が出力される区間、ＥＳＲは同各画素の露光開始タイミングを示す。
【００５６】
ＣＭＯＳエリアセンサ１２の全画素を用いた露光を開始する時点で図３の各Ｆ／Ｆ４３，４４，４６，４７のリセットを解除し、発光を開始するべくストロボ発光開始トリガ信号ＬＥＤＳＴＲが出力されるように、図２のコンパレータ３２には予め制御部１８により設定比較値が供給されている。
【００５７】
同様に、上記ストロボ発光開始トリガ信号ＬＥＤＳＴＲから所定の時間幅が経過し、最初の１ライン分のデータが電圧値に変換されて出力される前に赤色ＬＥＤ２７ａ〜２７ｃによる一連の点灯を終了させるべくストロボ発光終了トリガ信号ＬＥＤＳＴＯＰが出力されるように、図２のコンパレータ３３にも予め制御部１８により設定比較値が供給されている。
【００５８】
上記選択クロックＳＥＬＣＬＫ１，２は、１番目の赤色ＬＥＤ２７ａが点灯（オン）する場合の時間幅とデューティ比、すなわち点灯オン／オフの周波数特性とを決定するもので、選択クロックＳＥＬＣＬＫ１を選択クロックＳＥＬＣＬＫ２に同期してＦ／Ｆ４３，４４で順次遅延出力させ、これらＦ／Ｆ４３，４４の各出力をＥＸ−オア回路４５でゲート制御することで、トランジスタＴｒ１をオンさせて赤色ＬＥＤ２７ａを点灯させるための信号ＬＥＤ１を得ている。
【００５９】
この信号ＬＥＤ１をＦ／Ｆ４６，４７で選択クロックＳＥＬＣＬＫ３に同期させてタイミングをずらして出力させることにより同様の信号ＬＥＤ２，３を得ることができるもので、結果として赤色ＬＥＤ２７ａ，２７ｂ，２７ｃの順序で連続して点灯することとなる。
【００６０】
こうして図４（３）〜（５）に示すように、３個の赤色ＬＥＤ２７ａ〜２７ｃを順次時間的に重複することなく、且つ間隔を空けずに連続して点灯駆動させることにより、見かけ上は１つのＬＥＤが図４（２）に「擬似ＬＥＤ」として示す如く時間幅αだけ点灯発光することとなる。
【００６１】
これにより、赤色ＬＥＤ２７ａ〜２７ｃのそれぞれにおいては、短く点灯時間幅を充分短いものとしながらも、全体として充分な光量を得ることができ、各赤色ＬＥＤ２７ａ〜２７ｃに対して連続して大電流を流さずにすむ。
【００６２】
一般にＬＥＤでは、流れる電流が大きくなるほど発光時の光量も多くなるが、オン／オフの周波数特性を可変した場合の、発光オンのパルス幅と許容パルス電流との関係から、大電流を流すためには発光オンのパルス幅を短くする必要があり、且つ上記オン／オフの周波数特性の制約によって１つのＬＥＤに大電流を流して点灯駆動した場合には、消灯してから再び接ぎに点灯駆動するまでの時間をとらなければならない。
【００６３】
そのため、上述した如く複数のＬＥＤを連続的に点灯駆動することで、各ＬＥＤの連続点灯時間を抑え、且つ全体で充分な光量を得られるようにするものである。
【００６４】
なお、上記したＬＥＤのオン／オフの周波数特性を可変した場合の、発光オンのパルス幅と許容パルス電流との関係に基づいた上で、選択クロックＳＥＬＣＬＫ１〜３の出力タイミングを図２のセレクタ３４〜３６での選択値により随時可変設定し、併せてストロボ発光開始トリガ信号ＬＥＤＳＴＲ及びストロボ発光終了トリガ信号ＬＥＤＳＴＯＰの出力タイミングを図２のコンパレータ３２，３３により随時可変設定することで、図４に示す各赤色ＬＥＤ２７ａ〜２７ｃが１回の点灯を維持する時間幅βと、これに伴うオン／オフのデューティ比γ１：γ２、及び１画面分の露光時間内における発光回数を調整して、適正な光量でストロボ発光させることができるようになる。
【００６５】
次に、特にストロボの点灯開始タイミングを制御する動作について詳述する。
【００６６】
図５はＣＭＯＳエリアセンサ１２による画像信号の出力と各画素での露光のタイミングとを示すものである。
【００６７】
ＣＭＯＳエリアセンサ１２では、横方向１ライン毎に画像信号を電圧値に変換してシリアル出力を行なうようになるため、図５（１）に示す画像信号の第１ライン分と図５（２）に示す最終ライン分では同時性がなくなっている。そのため、各画素の露光開始タイミングもライン後とに異なるものとなる。
【００６８】
上記図５（１），（２）において、露光時間は各画素の露光開始タイミングＥＳＲからＣＭＯＳエリアセンサ１２のデータ出力がなされるＶＲＲまでの期間であり、各画素の露光開始タイミングＥＳＲはその時のシャッタ速度に対応して前後に変化するものであるから、図５（３）に示す垂直同期信号ＶＤにおいて、上記第１ラインの露光時間と最終ラインの露光時間とで重複している期間中をストロボ発光を行なう期間とすれば、ラインの位置によらず全画素に対して均一の光量で発光した画像信号が得られることとなる。
【００６９】
したがって、制御部１８は上記図２のコンパレータ３２，３３に対してその時点でのシャッタ速度に対応した設定比較値を送信することで、上記ストロボ発光を行なう期間を制御するようにすれば、ＣＭＯＳエリアセンサ１２の全画素に対して均一の光量を与えることができ、得られる画像の画質の低下を防ぐことができる。
【００７０】
このように、上記図２で示したようなハードウェア回路として全画素の露光開始タイミングを観測することで全画素に対して均一な発光量による画像信号を与えることができると共に、制御部１８が実行する動作プログラムの設定によってソフトウェア的な手法で全シャッタ速度に対応した制御も可能となるため、ストロボの発光量に関する調整をより広い範囲で行なうことができるようになる。
【００７１】
なお、上記実施の形態では、モノクロのデジタルカメラであるものとして例えば３個の赤色ＬＥＤ２７ａ〜２７ｃを点灯駆動するものとして説明したが、本発明はこれに限るものではなく、例えばＬＥＤをＲＧＢ、すなわち赤色で点灯するもの、緑色で点灯するもの、及び青色で点灯するものの３個を少なくとも含む白色光源として構成し、カラー画像を得ることができるものとしても良い。
【００７２】
この場合、さらに上記図２及び図３で示したように個々のＬＥＤを均一の時間で順次点灯駆動するのではなく、個々のＬＥＤの発光色に対応してその点灯時間の幅を制御部１８が加減設定できるものとして構成すれば、ストロボ光源の点灯状態によっても色温度を任意に調整することができるため、撮像の段階でホワイトバランス調整を行ない、撮像後の画像信号処理を簡略化することができる。
【００７３】
その他、本発明はその要旨を逸脱しない範囲内で種々変形して実施することが可能であるものとする。
【図面の簡単な説明】
【００７４】
【図１】本発明の実施の一形態に係る回路構成を示すブロック図。
【図２】図１のＬＥＤ駆動制御回路の部分構成を示すブロック図。
【図３】図１のＬＥＤ駆動制御回路の部分構成を示すブロック図。
【図４】同実施の形態に係るＬＥＤの駆動信号波形を示すタイミングチャート。
【図５】同実施の形態に係るＬＥＤの駆動信号波形を示すタイミングチャート。
【符号の説明】
【００７５】
１０…デジタルカメラ
１１…レンズ
１２…ＣＭＯＳエリアセンサ
１３…Ａ／Ｄ変換器
１４…画像処理回路
１５…ＤＭＡコントローラ
１６…ＤＲＡＭインタフェース（ＤＲＡＭ  Ｉ／Ｆ）
１７…ＤＲＡＭ
１８…制御部
１９…ＶＲＡＭコントローラ
２０…ＶＲＡＭ
２１…（デジタル）ビデオエンコーダ
２２…表示部
２３…キー入力部
２４…ＪＰＥＧ回路
２５…フラッシュメモリ
２６…ＬＥＤ駆動制御回路
２７ａ〜２７ｃ…赤色ＬＥＤ
３１…カウンタ
３２…コンパレータ
３３，３４…セレクタ
４１…オア回路
４２〜４４…フリップフロップ
４５…ＥＸ−オア回路
４６，４７…フリップフロップ
【図１】
2006201766.tif 000003
【図２】
2006201766.tif 000004
【図３】
2006201766.tif 000005
【図４】
2006201766.tif 000006
【図５】
2006201766.tif 000007